(57)【要約】    【課題】合成樹脂容器の外側に貼着した紙シールを剥離することなく、この紙シールを貼着した蓋及び/又は収容部の外表面を剥がすこと。    【解決手段】合成樹脂製の容器の蓋および/または収納部の外側面につまみ用のベロを張り出した剥離可能な合成樹脂フィルム、例えば、ポリプロピレンフィルムを接着し、その表面に紙シールなどを貼着してある合成樹脂製包装容器の構成である。【選択図】        図１
0003104716.tif 000002
【実用新案登録請求の範囲】
【請求項１】
合成樹脂製の容器の蓋および/または収納部の外側面につまみ用のベロを張り出した剥離可能な合成樹脂フィルムを接着してあることを特徴とする合成樹脂製包装容器。
【請求項２】
合成樹脂製の容器の蓋および/または収納部の外側面につまみ用のベロを張り出した剥離可能な合成樹脂フィルムを接着し、この合成樹脂フィルムの表面にバーコード、成分表、注意書き、メーカ名、内容量、賞味期限の少なくとも１つ以上を印刷したシールが貼付されていることを特徴とする合成樹脂製容器。
【考案の詳細な説明】
【技術分野】
【０００１】
本考案は、コンビニエンスストア、スーパー店などで販売されている商品の包装容器である合成樹脂製容器に関する。特に、簡易な作業によりリサイクル可能な合成樹脂製容器に関する。
【背景技術】
【０００２】
コンビニエンスストア等の弁当や惣菜などの食品包装容器には販売店又は製造元で製造管理、商品管理及びレジでの価格読み取りのために容器の蓋などの外表面に製造メーカ、栄養素、含有量及び製造年月日、賞味期限、価格及びバーコードなど数多くの管理用ＩＤが印刷されている紙シールが貼着されている。
これら紙シールは、表面の印刷面の裏面に接着剤を施してあり、食品包装容器の表面に接着して使用されている。特に、プラスチック容器の表面に接着したものは搬送中または展示中に価格などが表示されたものが剥がれないように強力な接着剤が使用されている現状である。
【０００３】
これらのプラスチックの包装容器について環境汚染防止のために回収し、リサイクルに使用されるようになっている。しかし、これら包装容器の外側に貼着してある紙シールがあると容器のリサイクルが出来なかった。そこで容器の回収のためにこの紙シールが剥がさなければならず、紙シールが剥がれ易いような接着剤が開発され、提案されている（特許文献１）。また、使用済みプラスチック容器の回収に際して、内面に食品などの残渣などがある場合は内部を洗浄しなければリサイクルできなかった。そのため洗浄していた。これを改善するために容器のリサイクルが簡易にできるように内部の汚れを綺麗にするためにプラスチック容器の内面につまみつきプラスチックフィルムを接着し、このプラスチックフィルムを剥がしてリサイクルできるようにしたものが知られている（特許文献２）。
【０００４】
【特許文献１】特開２０００−１２２５５３号公報
【特許文献２】特開２０００−３４４２２４号公報
【考案の開示】
【考案が解決しようとする課題】
【０００５】
特許文献１は、紙シールの接着剤を改良し、容器表面から紙シールのみが剥がれ易くしたものであるが、運送中の摩擦などによりこの紙シールが剥がれるなどの問題があった。また、特許文献２に提案されているものは、プラスチック容器の内面の汚れや異物を除去するために内面にフィルムをラミネートし、使用済みの汚れた内面を剥離して、容器を洗浄する必要のないもので、容器の収容部や蓋の内面に施されたラミネートフィルムを剥離して、内面を綺麗にするものである。この特許文献２の段落番号００２２以下にラベル８の剥離作業が記載されているようにラベル８の接着剤の残渣が問題となっている。
【０００６】
本考案の課題は、合成樹脂容器の外側に貼着した紙シールを剥離することなく、この紙シールを貼着した蓋及び/又は収容部の外表面を剥がすことができる合成樹脂製容器を提供することである。
また、この考案の課題は、使用済み容器の外表面を簡易に剥がすことができるフィルムを接着してある合成樹脂製容器を提供することである。
【課題を解決するための手段】
【０００７】
本考案の前記課題は、次のような構成によって達成することができる。
合成樹脂製の容器の蓋および/または収納部の外側面につまみ用のベロを張り出した剥離可能な合成樹脂フィルムを接着してある合成樹脂製包装容器の構成である。
【０００８】
。
また、この考案の課題は、合成樹脂製の容器の蓋および/または収納部の外側面につまみ用のベロを張り出した剥離可能な合成樹脂フィルムを接着し、この合成樹脂フィルムの表面にバーコード、成分表、注意書き、メーカ名、内容量、賞味期限の少なくとも１つ以上を印刷したシールが貼付されている合成樹脂製容器の構成によって達成できる。
【０００９】
本考案の合成樹脂製容器は、一般的に使用されているポリエステル樹脂、ポリプロピレン樹脂、ポリエチレン樹脂、酢酸ビニール樹脂、スチレン樹脂などである。これらの表面にラミネートする樹脂は、薄いポリプロピレンフィルムが好ましい。
【考案の効果】
【００１０】
本考案の合成樹脂製容器は、使用済みの容器の蓋および/または収納部の接着フィルムの外表面に紙シールが貼着してあっても、この蓋または収納部の周縁に張り出したつまみを指先で抓んで合成樹脂容器から強く引き剥がすことにより接着フィルムが外表面から容易に剥離することができる。
特に蓋などの外表面が簡易に剥離されるので、紙シールも外表面のフィルムと一体に剥がすことができるので、容器全体をリサイクルすることができる。紙シールの残渣を気にする必要がない。
【考案を実施するための最良の形態】
【００１１】
本考案の合成樹脂製容器について図面に示す実施の形態に基づいて説明する。
図１は本考案の合成樹脂製容器の蓋の斜視図である。図２は図１の表面のフィルムの剥離状態を示す斜視図である。図３は図１の断面図である。図４は本考案合成樹脂製容器の収納部の斜視図である。図５は図４の収納部の外表面のフィルム剥離状態を示す斜視図である。図６は図４の中央断面説明図である。
【００１２】
本考案の合成樹脂製容器１の蓋２の表面に合成樹脂フィルム２ａがラミネート接着してある。例えば、ポリエチレン樹脂７で製造された蓋２の表面に合成樹脂フィルム２ａとしてポリプロピレンフィルムをラミネートする。この合成樹脂フィルム２ａの周縁の一部につまみ用のベロ２ｂが張り出してある。このベロ２ｂの表面に「はがせる」などの文字が印刷してある。
【００１３】
蓋２の外表面に接着した合成樹脂フィルム２ａの表面に紙シール３が貼着してある。この紙シール３は一般的に印刷してある項目である。例えば、成分表、内容量、製造元、注意書などである。また価格表やレジで読み取るバーコードなどが印刷してある。
一方、収納部４の外表面に合成樹脂フィルム４ａが接着してあり、使用済み後にはつまみ用のベロ４ｂを指先で抓んで引き剥がすと表面に貼着してある紙シール３も一体に簡易に剥離することができる。
【００１４】
同様にして蓋２のつまみベロ２ｂを指先で抓んで引き剥がすことにより紙シール３と共に剥がすことができる。従って、表面に紙シールが除去されているので、合成樹脂製容器全体をリサイクル用に回収することができる。
本考案の合成樹脂樹脂容器は、紙シール３の貼り付けている蓋２または収納部４のいずれか一方を剥がすことにより、リサイクル回収することができる。
【図面の簡単な説明】
【００１５】
【図１】本考案の合成樹脂製容器の蓋の斜視図である。
【図２】図１の表面のフィルムを剥離状態を示す斜視図である。
【図３】図１の断面図である。
【図４】本考案合成樹脂製容器の収納部の斜視図である。
【図５】図４の収納部の外表面のフィルム剥離状態を示す斜視図である。
【図６】図４の中央断面説明図である。
【符号の説明】
【００１６】
１      合成樹脂製容器
２      蓋  
２ａ  合成樹脂フィルム
２ｂ  ベロ
３      紙シール  
４      収納部  
【図１】
0003104716.tif 000003
【図２】
0003104716.tif 000004
【図３】
0003104716.tif 000005
【図４】
0003104716.tif 000006
【図５】
0003104716.tif 000007
【図６】
0003104716.tif 000008